(57)【要約】【課題】複数のユーザ端末装置の表示部を組み合わせて一つの画面として表示できるように簡単な操作で画像配信できる電子会議端末装置及び電子会議システムを提供する。【解決手段】電子会議端末装置（１００）は、表示部（１１２）を有する複数のユーザ端末装置を接続して、データの送受信や操作を行いながら電子会議を行うことが可能である。前記ユーザ端末装置とデータの送受信を行う通信部（１１８）と、前記ユーザ端末装置の表示部に表示させる映像を生成する画像処理部（１１７）と、前記ユーザ端末装置から送られた表示部の解像度とサイズを含む表示仕様情報に基づいて、選択されたユーザ端末装置を組み合わせたマルチディスプレイに合うように表示映像を区分けし、前記画像処理部（１１７）に映像を生成させて、前記通信部（１１８）から前記ユーザ端末装置に配信させる主制御部（１１１）と、を備える。【選択図】図２
2014191312.tif 000002
【特許請求の範囲】
【請求項１】
表示部を有する複数のユーザ端末装置を接続して、データの送受信や操作を行いながら電子会議を行うことが可能な電子会議端末装置において、
前記ユーザ端末装置とデータの送受信を行う通信部と、
前記ユーザ端末装置の表示部に表示させる映像を生成する画像処理部と、
前記ユーザ端末装置から送られた表示部の解像度とサイズを含む表示仕様情報に基づいて、選択された前記ユーザ端末装置を組み合わせたマルチディスプレイに合うように表示映像を区分けし、前記画像処理部に映像を生成させて、前記通信部から前記ユーザ端末装置に配信させる制御部と、
を備えることを特徴とする電子会議端末装置。
【請求項２】
前記ユーザ端末装置の中の一つをメイン端末装置に選択し、それ以外の前記ユーザ端末装置から拡張表示端末装置を選択した場合、
前記制御部は、前記メイン端末装置の表示仕様情報を基準にして、他の前記ユーザ端末装置の表示領域を設定することを特徴とする請求項１に記載の電子会議端末装置。
【請求項３】
前記制御部は、前記メイン端末装置の表示仕様情報を基準にして、前記メイン端末装置の表示仕様に近いユーザ端末装置を抽出することを特徴とする請求項２に記載の電子会議端末装置。
【請求項４】
表示部に映像を表示して電子会議を行う電子会議端末装置と、表示部を有する複数のユーザ端末装置とを接続して、データの送受信や操作を行うことを可能とする電子会議システムにおいて、
前記ユーザ端末装置は、
前記電子会議端末装置とデータの送受信を行う通信部と、
表示部の解像度とサイズを含む表示仕様情報を前記通信部から前記電子会議端末装置に送らせる制御部と、
を備え、
前記電子会議端末装置は、
前記ユーザ端末装置とデータの送受信を行う通信部と、
前記ユーザ端末装置の表示部に表示させる映像を生成する画像処理部と、
前記ユーザ端末装置から送られた表示部の解像度とサイズを含む表示仕様情報に基づいて、選択された前記ユーザ端末装置を組み合わせたマルチディスプレイに合うように表示映像を区分けし、前記画像処理部に映像を生成させて、前記通信部から前記ユーザ端末装置に配信させる制御部と、
を備えることを特徴とする電子会議システム。
【発明の詳細な説明】
【技術分野】
【０００１】
本発明は、タブレットなどの複数のユーザ端末装置と無線などで接続し、そのユーザ端末装置の表示部を組み合わせて一画面として表示ができるように画像配信可能な電子会議端末装置及び電子会議システムに関する。
【背景技術】
【０００２】
近年、スマートホンやタブレット端末などのモバイル機器が普及し、表面全面をほぼ表示部とする装置が普及している。これらモバイル機器の端末装置は、個別に単体で使用されるものではあるが、表示画面が小さく、大きな画面で表示させたい場合がある。
【０００３】
そこで複数のタブレット端末などの表示画面を組み合わせて、一つの画面を形成して表示するマルチディスプレイの技術がある。たとえば、特許文献１には、全面を表示部とするサイズの異なる携帯端末を組み合わせて一つの画面とし、そこに映像を表示する技術が記載されている。
【先行技術文献】
【特許文献】
【０００４】
【特許文献１】特開２０１０−８５８５３号公報
【発明の概要】
【発明が解決しようとする課題】
【０００５】
しかしながら、マルチディスプレイ表示を行うには、表示させる端末装置の配置に合せて、画面のどの部分を端末装置に表示させるかという設定が非常に煩雑であるという問題があった。たとえば、特許文献１では、表示させる画面を組み合わせた端末装置に表示さえるものであるが、これはサイズや画素数などから、表示画面を拡大縮小して表示するものである。一画面をそのまま表示するだけでなく、端末装置の組み合わせを見やすいように変えたり、画面の一部分を表示させたりすると、その設定が非常に大変になる。
【０００６】
本発明は、斯かる実情に鑑み、複数のユーザ端末装置の表示部を組み合わせて一つの画面として表示できるように簡単な操作で画像配信できる電子会議端末装置及び電子会議システムを提供することを目的とする。
【課題を解決するための手段】
【０００７】
本発明は、表示部を有する複数のユーザ端末装置を接続して、データの送受信や操作を行いながら電子会議を行うことが可能な電子会議端末装置において、
前記ユーザ端末装置とデータの送受信を行う通信部と、前記ユーザ端末装置の表示部に表示させる映像を生成する画像処理部と、前記ユーザ端末装置から送られた表示部の解像度とサイズを含む表示仕様情報に基づいて、選択された前記ユーザ端末装置を組み合わせたマルチディスプレイに合うように表示映像を区分けし、前記画像処理部に映像を生成させて、前記通信部から前記ユーザ端末装置に配信させる制御部と、を備えることを特徴とする。
【０００８】
また、本発明の電子会議端末装置であって、前記ユーザ端末装置の中の一つをメイン端末装置に選択し、それ以外の前記ユーザ端末装置から拡張表示端末装置を選択した場合、前記制御部は、前記メイン端末装置の表示仕様情報を基準にして、他の前記ユーザ端末装置の表示領域を設定することを特徴とする。
【０００９】
また、本発明の電子会議端末装置であって、前記制御部は、前記メイン端末装置の表示仕様情報を基準にして、前記メイン端末装置の表示仕様に近い前記ユーザ端末装置を抽出することを特徴とする。
【００１０】
また、本発明は、表示部に映像を表示して電子会議を行う電子会議端末装置と、表示部を有する複数のユーザ端末装置とを接続して、データの送受信や操作を行うことを可能とする電子会議システムにおいて、
前記ユーザ端末装置は、前記電子会議端末装置とデータの送受信を行う通信部と、表示部の解像度とサイズを含む表示仕様情報を前記通信部から前記電子端末装置に送らせる制御部と、を備え、
前記電子会議端末装置は、前記ユーザ端末装置とデータの送受信を行う通信部と、前記ユーザ端末装置の表示部に表示させる映像を生成する画像処理部と、前記ユーザ端末装置から送られた表示部の解像度とサイズを含む表示仕様情報に基づいて、選択された前記ユーザ端末装置を組み合わせたマルチディスプレイに合うように表示映像を区分けし、前記画像処理部に映像を生成させて、前記通信部から前記ユーザ端末装置に配信させる制御部と、を備えることを特徴とする。
【発明の効果】
【００１１】
本発明によれば、各ユーザ端末装置の設定が電子会議端末装置上で集約して行うことができるので、マルチディスプレイの構成が容易に把握できる。また、あらかじめ電子会議端末装置が持っている各ユーザ端末装置の情報を用いてマルチディスプレイの構成ができるので、各ユーザ端末装置間で相手の設定する必要がなく、短時間にアドホック的にマルチディスプレイを実現することが出来る。
【図面の簡単な説明】
【００１２】
【図１】実施形態１に係る電子会議システムを示す概略図である。
【図２】実施形態１に係る電子会議端末装置１００の構成例を示すブロック図である。
【図３】タッチパネルの基本構成を示す説明図である。
【図４】タッチパネルの一例を示す構成ブロック図である。
【図５】実施形態１に係るユーザ端末装置２００の構成例を示すブロック図である。
【図６】ユーザ端末装置であるタブレットを示す外観図である。
【図７】ユーザ端末装置を組み合わせたマルチディスプレイの配置の一例を示す図である。
【図８】映像Ａをマルチディスプレイに分割表示する説明図である。
【図９】ユーザ端末装置の組み合わせ画面をマルチディスプレイとして表示する電子会議端末装置の処理を示すフローチャートである。
【発明を実施するための形態】
【００１３】
以下、本発明の実施の形態を添付図面を参照して説明する。
【００１４】
＜実施形態１＞
図１は、実施形態１に係る電子会議システムを示す概略図である。
この電子会議システム１０は、大型画面の表示部１１２を有する電子会議端末装置１００と、複数のユーザ端末装置２００（２００ａ〜２００ｆ）とから構成される。電子会議端末装置１００は、大画面の表示部１１２によって、画像やデータ等をその場にいる複数のユーザに表示して、会議を可能とするものである。各ユーザは、ユーザ端末装置２００として、たとえばタブレット端末を持ち、そのユーザ端末装置２００（２００ａ〜２００ｆ）は電子会議端末装置１００と無線ＬＡＮなどで接続される。
【００１５】
電子会議端末装置１００と各ユーザ端末装置２００には、接続して会議を可能とする会議プログラムがインストールされており、電子会議端末装置１００と各ユーザ端末装置２００とを簡単に接続設定でき、これらの間でデータの共有やリモコン操作などが可能となる。
【００１６】
図２は、実施形態１に係る電子会議端末装置１００の構成例を示すブロック図である。電子会議端末装置１００は、主制御部１１１、表示部１１２、操作部１１３、表示制御部１１４、操作制御部１１５、記憶部１１６、画像処理部１１７及び通信部１１８を備える。
【００１７】
主制御部１１１は、例えば、ＣＰＵであり、記憶部１１６から会議プログラム１２１を読み出して、当該プログラムにしたがった処理を実行する。
【００１８】
表示部１１２は、例えば、大型画面の液晶パネルである。そして、操作部１１３は、その上に重ねて配置されたタッチパネルである。表示部１１２、操作部１１３は、表示制御部１１４、操作制御部１１５によって制御される。タッチパネルと表示パネルを組み合わせることで、表示された資料（例えば電子会議で利用される会議ファイルなどの共有データ１２３としての文書）に対して表示画面を見ながら直接変更を加えるなどの編集作業が容易となり、効率的な電子会議とすることができる。
電子会議端末装置１００は表示部１１２を一体として備えているが、表示装置として外部接続するものであってもよい。
【００１９】
図３は、タッチパネルの基本構成を示す説明図である。図４は、タッチパネルの一例を示す構成ブロック図である。
【００２０】
タッチパネルは、例えば赤外線方式であり、図３に示すように、表示部１１２下辺のＸ方向と、右辺のＹ方向に赤外線ＬＥＤ１３１ａ，１３１ｂを配列し、それぞれの対辺にフォトダイオード１３２ａ，１３２ｂを配列する。ペン１３３などで赤外線を遮光すると、遮光されたフォトダイオードのＸ方向とＹ方向の座標から、ペン１３３の座標が検出できる。
【００２１】
図４に示すように、ＬＥＤ１３１は、ＬＥＤ基板１３５に一列に配置される。また、フォトダイオード１３２はセンサ基板１３６に一列に配置される。これを図３に示すように、表示部１１２の各辺に配置する。センサ基板１３６にはアンプ１４０、セレクタ１４１、バッファ１４２が配置されている。また操作制御部１１５であるＬＥＤ−ＸＡ基板１３７にはアンプ１４３、セレクタ１４４、ＣＰＵ１４５が配置されている。
【００２２】
図４に示すように、ＣＰＵ１４５より、ＬＥＤ１３１を一つ光らせるとする。センサー（フォトダイオード１３２）で受信した電圧をアンプ１４０で増幅する。このとき、光らせたＬＥＤ１３１の対面とその両隣のセンサー（フォトダイオード１３２）の電圧値を出力する。８個のＬＥＤデータを１つとしてバッファ１４２で８個のセレクタ分のデータを１つにする。
【００２３】
さらにＬＥＤ−ＸＡ基板１３７のアンプ１４３で電圧を増幅し、セレクタ１４４により水平センサ電圧と垂直センサ電圧をＣＰＵ１４５に出力する。ＣＰＵ１４５でデータを処理して座標を検出する。
【００２４】
記憶部１１６は、例えば、ハードディスク等の大容量記憶装置である。記憶部１１６は、上記の会議プログラム１２１やユーザ端末装置２００のユーザ端末情報１２２を記憶する。ユーザ端末情報１２２は、接続している各ユーザ端末装置の識別情報やマルチメディア設定のための表示仕様情報などが含まれる。更に、記憶部１１６は、１つ又は複数のドキュメントデータを、各ユーザ端末装置２００との共有データ１２３として記憶する。共有データ１２３は、音声データ、画像データ又はテキストデータ又はそれらの組み合わせであり、フォーマットは問わない。
【００２５】
画像処理部１１７は、記憶部１１６が記憶する共有データ１２３の内、各端末装置２００にて表示対象となる共有データ１２３を記憶部１１６から読み出し、各ユーザ端末装置２００で表示可能なように画像データに変換して出力する。
【００２６】
通信部１１８は、端末装置２００（２００ａ〜２００ｆ）との間でデータの送受信を行う。通信部１１８は、Ｈ．３２３、ＳＩＰ、又はＨＴＴＰなどの通信プロトコルを用いて画像及び音声を送受信するが、他の通信プロトコルを用いてもよい。
【００２７】
図５は、実施形態１に係るユーザ端末装置２００の構成例を示すブロック図である。
ユーザ端末装置２００は、主制御部２１１、表示部２１２、操作部２１３、表示制御部２１４、操作制御部２１５、記憶部２１６、及び通信部２１７を備える。ユーザ端末装置２００は、例えば、図６に示すように、マウス、ペン等のポインティングデバイス１３０で文字、絵などを手書き入力できるタブレット型の情報処理装置である。表示部２１２である液晶ディスプレイの表面に設置されたタッチパネルをペンや指等でなぞることで文字、絵などを手書き入力できるタッチパネル型の情報処理装置である。このユーザ端末装置２００は、図６に示すように、ボタン２５０が配置されている側を下とし、その対辺側を上とする。以下に説明する実施形態１では、タブレット型のＰＣがユーザ端末装置２００として使用されるものとする。
【００２８】
主制御部２１１は、例えば、ＣＰＵ（Central Processing Unit）であり、記憶部２１６から会議プログラム２１１を読み出し、当該プログラムにしたがった処理を実行する。
【００２９】
表示部２１２は、たとえば、液晶パネルである。そして、操作部２１３は、その上に重ねて配置されたタッチパネルである。表示部２１２、操作部２１３は、表示制御部２１４、操作制御部２１５によって制御される。タッチパネルは例えば静電容量方式とする。タッチパネルを兼ねる表示パネルとすることで、表示された資料に対して表示画面を見ながら直接変更を加えるなどの編集作業や、電子会議端末装置の操作などの作業が容易となり、効率的な電子会議とすることができる。
【００３０】
記憶部２１６は、例えばメモリ等の大容量記憶装置である。記憶部１１６は、ユーザ端末用の会議プログラム２２１を記憶する。また、記憶部２１６には、会議プログラム２２１の他に、電子会議端末装置１００と接続するための識別情報やマルチメディア設定のための表示仕様情報などが含むユーザ端末情報２２２を記憶する。このユーザ端末情報２２２は、このユーザ端末装置２００に関する情報である。さらに、音声データ、画像データ又はテキストデータ又はそれらの組み合わせのデータ２２３も記憶している。
【００３１】
通信部２１７は、電子会議端末装置１００との間でデータの送受信を行う。通信部２１７は、Ｈ．３２３、ＳＩＰ、又はＨＴＴＰなどの通信プロトコルを用いて画像及び音声を送受信するが、他の通信プロトコルを用いてもよい。
【００３２】
さて、実施形態１に係る電子会議システム１０において、会議参加者は、ユーザ端末装置２００の操作部２１３を操作して、ユーザ端末装置２００用の会議プログラム２２１を起動させる。会議プログラム２２１が起動すると、電子会議端末装置１００は、ユーザ端末装置２００を使用しようとする会議参加者の認証を開始する。
【００３３】
まず始めに、電子会議端末装置１００は、認証情報の入力を要求する認証画面をユーザ端末装置２００の表示部２１２に表示させる。認証確認の要求を受けると、会議参加者は、認証画面にユーザ名及びパスワード等の認証情報を入力する。ユーザ端末装置２００の操作部２１３は、認証情報の入力を受け付け、主制御部２１１に通知する。主制御部２１１は、通信部２１７を用いて、受け付けた認証情報を電子会議端末装置１００へ送信する。電子会議端末装置１００の主制御部１１１は、受け取った認証情報が正当か否かを判定し、その判定結果をユーザ端末装置２００に送信する。このとき、ユーザ端末装置２００に割り振られているＩＰアドレスの識別情報が認証情報と共に電子会議端末装置１００へ送信されるようにしてある。こうすることにより、以後の処理において、電子会議端末装置１００は、ＩＰアドレスを用いて各ユーザ端末装置２００（図１では２００ａ〜２００ｆ）を識別することができる。
ここでは、識別情報をＩＰアドレスとしたが、ＭＡＣアドレスなどの各ユーザ端末装置２００を識別できるユニーク情報であれば構わない。
【００３４】
こうして電子会議システムを使って電子会議を始めるにあたり、会議プログラムによって電子会議端末装置１００とユーザ端末装置２００との接続設定を行うことにより、電子会議が開始される。認証処理が行われていないユーザ端末装置は、当然、電子会議端末装置１００にアクセスできず、電子会議システムの使用ができない。
【００３５】
ユーザ端末装置２００の表示部２１２の表示画面は小さく、画面をより見やすくするために、複数のユーザ端末装置２００の表示部２１２を組み合わせて１画面とするマルチディスプレイとすることができる。
【００３６】
実施形態１において、電子会議の開始の折に、電子会議端末装置１００とユーザ端末装置２００との接続設定が行われているので、これを利用しながら、会議プログラムにユーザ端末装置に対するマルチディスプレイ機能を持たせる。
【００３７】
図７は、ユーザ端末装置２００を組み合わせたマルチディスプレイの配置の一例を示す図である。
ユーザ端末装置２００ａ〜２００ｄの４個を使用し、２個ずつタブレットの上辺を当接させた２セットを用意し、それらを上下に合せた配置である。この場合はサイズがほぼ同じ形状のタブレットであるが、特にこれに限るわけではなく、装置のサイズ、表示部のサイズ、それらの形状が異なるものの組み合わせでもいいし、さらには解像度など表示仕様が異なるものの組み合わせでもかまわない。
【００３８】
例えば、ユーザ端末装置２００ａに表示されている画像を上記のユーザ端末装置の組み合わせ画面に拡大表示させる場合を想定してみる。
図８（ａ）に示すように、ユーザ端末装置２００ａに画像Ａを表示しており、これを４分割してユーザ端末装置２００ａ〜２００ｄのマルチディスプレイに図８（ｃ）のように表示させるものとする。
【００３９】
これには、電子会議端末装置１００の表示部１１２に、画像Ａを表示し、さらにユーザ端末装置２００ａ〜２００ｄの表示仕様に合せた表示エリアを示す枠１５０ａ〜１５０ｄを表示し、ユーザがその枠１５０ａ〜１５０ｄを移動させて、各ユーザ端末装置の表示エリアを設定する。図８（ｂ）では、枠１５０ｂ，１５０ｃを矢印方向に移動したことを示している。その表示枠内１５０ａ〜１５０ｄの画像については、枠１５０ａ内の画像Ａ−１、枠１５０ｂ内の画像Ａ−２、枠１５０ｃ内の画像Ａ−３、枠１５０ｄ内の画像Ａ−４が、それぞれ図８（ｃ）に示すようにユーザ端末装置２００ａ〜２００ｄに表示される。
【００４０】
図９は、ユーザ端末装置の組み合わせ画面をマルチディスプレイとして表示する電子会議端末装置の処理を示すフローチャートである。
まず、電子会議端末装置１００と、マルチディスプレイとして使用するタブレット２００とを接続する。これは、上述のように、電子会議システム１０を使用する際に、接続設定はされているので、電子会議端末装置１００の記憶部１１６にユーザ端末情報として記憶されている。従って、タブレット２００を起動すると、タブレット２００から識別情報が電子会議端末装置１００に送られ、電子会議端末装置１００で確認されて、接続がなされる（ステップＳ１１）。
【００４１】
ユーザが、タブレット２００ａから操作部２１３を用いて、表示部１１２にマルチディスプレイ開始要求ボタンを表示させて、これを押すと、主制御部２１１は、電子会議端末装置１００に対して、マルチディスプレイ開始要求を通信部１１８を介して行う（ステップＳ１２）。同時に、識別情報（ＩＰアドレス）と表示仕様情報を示すユーザ端末情報２２２を記憶部２１６から読み出して、通信部１１８を介して電子会議端末装置１００に送る。
【００４２】
電子会議端末装置１００において、マルチディスプレイの要求があったタブレット２００ａをメインのユーザ端末装置とし、その識別情報（ＩＰアドレス）と表示仕様情報を示すユーザ端末情報をタブレット２００ａから取得して記憶部１１６に記憶する（ステップＳ２１）。そして電子会議端末装置１００は、マルチディスプレイに使用するタブレットの情報の取得待ち状態にする（ステップＳ２２）。
【００４３】
ユーザは、ユーザ端末装置２００の操作部２１３を用いて、表示部２１２にマルチディスプレイ選択ボタン表示させてこれを押すと、主制御部２１１は、マルチディスプレイを行うタブレットとして、識別情報（ＩＰアドレス）と表示仕様情報を含むユーザ端末情報を通信部２１７を介して電子会議端末装置１００に送る（ステップＳ１３）。
【００４４】
電子会議端末装置１００の主制御部１１１は、送られてきたユーザ端末情報を記憶部１１６に記憶し、その中の表示仕様情報に基づいて、マルチディスプレイをタブレットでどのように構成するかを決定する（ステップＳ２３）。つまり、タブレット２００ａの表示仕様情報を基準として、マルチディスプレイを行う他のタブレット２００ｂ〜２００ｄの表示領域サイズの比率を決定する。
【００４５】
メインタブレット２００ａは、その映像Ａの情報を電子会議端末装置１００に送る（ステップＳ１４）
【００４６】
電子会議端末装置１００の主制御部１１１は、表示制御部１１４を介して表示部１１２に映像Ａを表示させる。ユーザは、操作部１１３を用いて縦横比を固定として映像Ａをサイズ変更し所望のサイズにする。次に主制御部１１１は、表示枠１５０ａ〜１５０ｄを表示制御部２１４を通じて表示部２１２に表示させる。このとき、主制御部１１１は、表示枠１５０ａを基準にステップＳ２３で決定した表示領域サイズの比率に合せて表示枠１５０ｂ〜１５０ｄを表示する。ユーザが表示枠の一つのサイズを変えると、表示領域サイズの比率に従って、他の表示枠のサイズも変わる。こうして、ユーザは所望のサイズに表示枠を設定する。表示枠１５０ａ〜１５０ｄには、該当するタブレットが識別できるように、例えば「Ｎｏ．＊＊」（図８（ａ）参照）のように番号を表示してもよい。また、タブレットの表示部の組み合わせ方向が分るように、「上下」などの方向を示す文字を表示してもよい。これらはこれに数字や文字に限るわけではなく、記号や絵でも構わない。
【００４７】
次に、ユーザは、操作部１１３により、表示枠１５０ａ〜１５０ｄを移動させて画像Ａを分割表示させたい位置に配置する。図８（ｂ）では平行移動を示したが、タブレットの表示部の方向に合わすために回転移動させてもよい。
【００４８】
電子会議端末装置１００の画像処理部１１７は、表示枠１５０ａ〜１５０ｄ内の映像を切り出してユーザ端末装置２００で通信部１１８タブレットの映像を送信し続ける（ステップＳ１６）。
【００４９】
このように、各ユーザ端末装置２００の設定が電子会議端末装置１００上で集約して行うことができるので、マルチディスプレイの構成が容易に把握できる。また、あらかじめ電子会議端末装置１００が持っている各ユーザ端末装置２００の情報（相手のIPアドレス、表示仕様）を用いてマルチディスプレイの構成ができるので、各ユーザ端末装置２００間で相手のＩＰアドレスを設定する必要がない。特に、セキュリテイ上の仕組み(ユーザ認証、通信の暗号化など)は電子会議アプリケーション上の実装の仕組みを利用できるので、改めてユーザ認証の操作や暗号化設定を行なう必要が無い。
【００５０】
以上のように電子会議端末に接続されているユーザ端末間であれば、プログラムのインストールや初期設定が容易であり、短時間にアドホック的にマルチディスプレイを実現することが出来る。
【００５１】
＜実施形態２＞
上記実施形態１では、ステップＳ１３で各ユーザがマルチディスプレイを行うタブレット２００を選択し、タブレット２００から選択結果を電子会議端末装置１００に送信していたが、他の実施形態として、次のものが考えられる。
【００５２】
メインのタブレット２００ａからマルチディスプレイ開始要求がされたら、電子会議端末装置１００が各タブレット２００のディスプレイ解像度と表示サイズの表示仕様情報を取得し、主制御部１１１が、ディスプレイ解像度及び画面サイズがメインのタブレット２００ａとほぼ一致するタブレットをマルチディスプレイのタブレット候補として抽出する。抽出されたタブレット２００へは電子会議端末装置１００からマルチディスプレイの端末装置として設定する旨のコマンドを候補のタブレットに送信し、タブレット上で設定可否（ＹＥＳ／ＮＯ）のダイアログを表示し、ＹＥＳであればマルチディスプレイのタブレットに設定する。
【００５３】
マルチディスプレイのタブレットを抽出方法としては、例えば次のような方法がある。
まず、実施形態１とは異なり、ステップＳ１１で電子会議端末装置１００とタブレット２００が接続するときに、ユーザ端末情報がタブレット２００から電子会議端末装置１００へと送られる。メインタブレット２００ａがユーザに選択された段階で、タブレットの表示仕様情報から、表示サイズの［縦＋横］の値と、解像度の［縦＋横］の値を求め、これらをメインタブレットの値とのそれぞれ差分を求める。そしてこの差分が小さい順からマルチディスプレイに使うタブレット分だけ抽出する。あるいは、差分に閾値を設定し、この閾値より小さな値のタブレットを抽出する。閾値より小さなタブレットの数が多ければ、ユーザが抽出された中から選択する。タブレットの数が少ない場合は、閾値の値を見直してもよい。
【００５４】
こうして、電子会議端末装置がメインユーザ端末装置の表示部にサイズと解像度のユーザ端末装置を選択するので、ユーザ端末装置の数が多い場合などにおいては、ユーザは、マルチディスプレイに適したユーザ端末装置に簡単に素速く表示させることができる。
【００５５】
本発明による電子会議端末装置を有する装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００５６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。また、上述した実施形態における各装置の一部、または全部を典型的には集積回路であるＬＳＩとして実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００５７】
以上、この発明の実施形態を図面を参照して詳述してきたが、具体的な構成はこれらの実施形態に限られるものではなく、この発明の要旨を逸脱しない範囲の設計変更等された発明も含まれる。
【符号の説明】
【００５８】
１０  電子会議システム
１００  電子会議端末装置
１０２  記憶部
１１１  主制御部
１１２  表示部
１１３  操作部
１１４  表示制御部
１１５  操作制御部
１１６  記憶部
１１７  画像処理部
１１８  通信部
１２１  会議プログラム
１２２  ユーザ端末情報
１２３  共有データ
２００  ユーザ端末装置
２１１  主制御部
２１１  会議プログラム
２１１  主制御部
２１２  表示部
２１３  操作部
２１４  表示制御部
２１５  操作制御部
２１６  記憶部
２１７  通信部
２２１  会議プログラム
２２２  ユーザ端末情報
２２３  データ
【図１】
2014191312.tif 000003
【図２】
2014191312.tif 000004
【図３】
2014191312.tif 000005
【図４】
2014191312.tif 000006
【図５】
2014191312.tif 000007
【図６】
2014191312.tif 000008
【図７】
2014191312.tif 000009
【図８】
2014191312.tif 000010
【図９】
2014191312.tif 000011